(57)【特許請求の範囲】
【請求項１】
生体へ光を照射する複数の発光素子と、
前記生体を透過した光を受光する受光部と、
前記発光素子と前記受光部とを制御し、
前記複数の発光素子のうちの少なくとも一つの発光素子に照射させた光を、前記受光部に受光させることにより第１の生体情報を取得し、
前記複数の発光素子のうちの少なくとも一つの発光素子に照射させた光を、前記受光部に受光させることにより、前記第１の生体情報とは異なる第２の生体情報を取得する、制御部と、を備え、
前記第１の生体情報は、前記生体の血管位置を特定する情報を含み、
前記第１の生体情報を取得する際に発光した発光素子一つあたりの単位面積あたりの発光パワーは、
前記第２の生体情報を取得する際に発光した発光素子一つあたりの単位面積あたりの発光パワーよりも小さいことを特徴とする、生体情報取得装置。
【請求項２】
生体へ光を照射する複数の発光素子と、
前記生体を透過した光を受光する受光部と、
前記発光素子と前記受光部とを制御し、
前記複数の発光素子のうちの少なくとも一つの発光素子に照射させた光を、前記受光部に受光させることにより第１の生体情報を取得し、
前記複数の発光素子のうちの少なくとも一つの発光素子に照射させた光を、前記受光部に受光させることにより、前記第１の生体情報とは異なる第２の生体情報を取得する、制御部と、を備え、
前記第１の生体情報は、前記生体の血管位置を特定する情報を含み、
前記第１の生体情報を取得する際に発光した発光素子一つあたりの電力密度は、
前記第２の生体情報を取得する際に発光した発光素子一つあたりの電力密度よりも小さいことを特徴とする、生体情報取得装置。
【請求項３】
請求項２に記載の生体情報取得装置であって、
前記第１の生体情報を取得する際に発光した発光素子一つあたりの電流密度は、
前記第２の生体情報を取得する際に発光した発光素子一つあたりの電流密度よりも小さいことを特徴とする、生体情報取得装置。
【請求項４】
生体へ光を照射する複数の発光素子と、
前記生体を透過した光を受光する受光部と、
前記発光素子と前記受光部とを制御する制御部し、
前記複数の発光素子のうちの少なくとも一つの発光素子に照射させた光を、前記受光部に受光させることにより第１の生体情報を取得し、
前記複数の発光素子のうちの少なくとも一つの発光素子に照射させた光を、前記受光部に受光させることにより、前記第１の生体情報とは異なる第２の生体情報を取得する、制御部と、を備え、
前記第１の生体情報を取得する際に同時に発光した発光素子が外接する最小円の内側の領域である第１の発光領域における前記第１の生体情報を取得する際の発光パワーは、
前記第２の生体情報を取得する際に同時に発光した発光素子が外接する最小円の内側の領域であり、前記第１の発光領域よりも小さい領域である第２の発光領域における前記第２の生体情報を取得する際の発光パワーよりも小さいことを特徴とする、生体情報取得装置。
【請求項５】
生体へ光を照射する複数の発光素子と、
前記生体を透過した光を受光する受光部と、
前記発光素子と前記受光部とを制御し、
前記複数の発光素子のうちの少なくとも一つの発光素子に照射させた光を、前記受光部に受光させることにより第１の生体情報を取得し、
前記複数の発光素子のうちの少なくとも一つの発光素子に照射させた光を、前記受光部に受光させることにより、前記第１の生体情報とは異なる第２の生体情報を取得する、制御部と、を備え、
前記第１の生体情報を取得する際に同時に発光した発光素子が外接する最小円の内側の領域である第１の発光領域内における前記第１の生体情報を取得する際の発光素子の消費電力は、
前記第２の生体情報を取得する際に同時に発光した発光素子が外接する最小円の内側の領域であり、前記第１の発光領域よりも小さい領域である第２の発光領域内の発光素子における前記第２の生体情報を取得する際の発光素子の消費電力よりも小さいことを特徴とする、生体情報取得装置。
【請求項６】
請求項５に記載の生体情報取得装置であって、
前記第１の生体情報を取得する際に前記第１の発光領域内の発光素子に流れる電流は、
前記第２の生体情報を取得する際に前記第２の発光領域内の発光素子に流れる電流よりも小さいことを特徴とする、生体情報取得装置。
【請求項７】
請求項１から請求項６のいずれか１項に記載の生体情報取得装置であって、
前記第２の生体情報は、前記生体の血液中の情報を含むことを特徴とする、生体情報取得装置。
【請求項８】
請求項４から請求項７のいずれか１項に記載の生体情報取得装置であって、
前記第１の生体情報は、前記生体の血管位置を特定する情報を含むことを特徴とする、生体情報取得装置。
【請求項９】
請求項１に記載の生体情報取得装置であって、
前記第１の生体情報を取得する際に発光した発光素子の中で、前記第１の生体情報を取得する際の単位面積あたりの発光パワーが最も大きい発光素子の単位面積あたりの発光パワーは、
前記第２の生体情報を取得する際に発光した発光素子の中で、前記第２の生体情報を取得する際の単位面積あたりの発光パワーが最も小さい発光素子の単位面積あたりの発光パワーよりも小さいことを特徴とする、生体情報取得装置。
【請求項１０】
請求項２に記載の生体情報取得装置であって、
前記第１の生体情報を取得する際に発光した発光素子の中で、前記第１の生体情報を取得する際の電力密度が最も大きい発光素子の電力密度は、
前記第２の生体情報を取得する際に発光した発光素子の中で、前記第２の生体情報を取得する際の電力密度が最も小さい発光素子の電力密度よりも小さいことを特徴とする、生体情報取得装置。
【請求項１１】
請求項３に記載の生体情報取得装置であって、
前記第１の生体情報を取得する際に発光した発光素子の中で、前記第１の生体情報を取得する際の電流密度が最も大きい発光素子の電流密度は、
前記第２の生体情報を取得する際に発光した発光素子の中で、前記第２の生体情報を取得する際の電流密度が最も小さい発光素子の電流密度よりも小さいことを特徴とする、生体情報取得装置。
【請求項１２】
請求項１から請求項１１のいずれか１項に記載の生体情報取得装置であって、さらに、
前記発光素子が光を照射するためのエネルギーを供給する電池を備えることを特徴とする、生体情報取得装置。
【請求項１３】
請求項１から請求項１２のいずれか１項に記載の生体情報取得装置であって、さらに、
前記生体の手首に装着するための固定バンドを備えることを特徴とする、生体情報取得装置。
【請求項１４】
請求項１から請求項１３のいずれか１項に記載の生体情報取得装置であって、
前記発光素子として、ＯＬＥＤを用いることを特徴とする、生体情報取得装置。
【請求項１５】
請求項１から請求項１４のいずれか１項に記載の生体情報取得装置であって、
前記第２の生体情報は、前記生体の血液中のグルコース濃度または前記血液中の酸素飽和度であることを特徴とする、生体情報取得装置。
【請求項１６】
生体へ光を照射する複数の発光素子と、前記生体を透過した光を受光する受光部と、を備える生体情報取得装置により生体情報を取得する生体情報取得方法であって、
前記複数の発光素子のうちの少なくとも一つの発光素子に照射させた光を、前記受光部に受光させることにより第１の生体情報を取得する工程と、
前記複数の発光素子のうちの少なくとも一つの発光素子に照射させた光を、前記受光部に受光させることにより、前記第１の生体情報とは異なる第２の生体情報を取得する工程と、を備え、
前記第１の生体情報は、前記生体の血管位置を特定する情報を含み、
前記第１の生体情報を取得する際に発光した発光素子一つあたりの単位面積あたりの発光パワーは、
前記第２の生体情報を取得する際に発光した発光素子一つあたりの単位面積あたりの発光パワーよりも小さいことを特徴とする、生体情報取得方法。
【請求項１７】
生体へ光を照射する複数の発光素子と、前記生体を透過した光を受光する受光部と、を備える生体情報取得装置により生体情報を取得する生体情報取得方法であって、
前記複数の発光素子のうちの少なくとも一つの発光素子に照射させた光を、前記受光部に受光させることにより第１の生体情報を取得する工程と、
前記複数の発光素子のうちの少なくとも一つの発光素子に照射させた光を、前記受光部に受光させることにより、前記第１の生体情報とは異なる第２の生体情報を取得する工程と、を備え、
前記第１の生体情報は、前記生体の血管位置を特定する情報を含み、
前記第１の生体情報を取得する際に発光した発光素子一つあたりの電力密度は、
前記第２の生体情報を取得する際に発光した発光素子一つあたりの電力密度よりも小さいことを特徴とする、生体情報取得方法。
【請求項１８】
生体へ光を照射する複数の発光素子と、前記生体を透過した光を受光する受光部と、を備える生体情報取得装置により生体情報を取得する生体情報取得方法であって、
前記複数の発光素子のうちの少なくとも一つの発光素子に照射させた光を、前記受光部に受光させることにより第１の生体情報を取得する工程と、
前記複数の発光素子のうちの発光素子に照射させた光を、前記受光部に受光させることにより、前記第１の生体情報とは異なる第２の生体情報を取得する工程と、を備え、
前記第１の生体情報を取得する際に同時に発光した発光素子が外接する最小円の内側の領域である第１の発光領域における前記第１の生体情報を取得する際の発光パワーは、
前記第２の生体情報を取得する際に同時に発光した発光素子が外接する最小円の内側の領域であり、前記第１の発光領域よりも小さい領域である第２の発光領域における前記第２の生体情報を取得する際の発光パワーよりも小さいことを特徴とする、生体情報取得方法。
【請求項１９】
生体へ光を照射する複数の発光素子と、前記生体を透過した光を受光する受光部と、を備える生体情報取得装置により生体情報を取得する生体情報取得方法であって、
前記複数の発光素子のうちの少なくとも一つの発光素子に照射させた光を、前記受光部に受光させることにより第１の生体情報を取得する工程と、
前記複数の発光素子のうちの少なくとも一つの発光素子に照射させた光を、前記受光部に受光させることにより、前記第１の生体情報とは異なる第２の生体情報を取得する工程と、を備え、
前記第１の生体情報を取得する際に同時に発光した発光素子が外接する最小円の内側の領域である第１の発光領域における前記第１の生体情報を取得する際の消費電力は、
前記第２の生体情報を取得する際に同時に発光した発光素子が外接する最小円の内側の領域であり、前記第１の発光領域よりも小さい領域である第２の発光領域における前記第１の生体情報を取得する際の発光素子の消費電力よりも小さいことを特徴とする、生体情報取得方法。
【発明の詳細な説明】
【技術分野】
【０００１】
本発明は、生体情報取得装置及び生体情報取得方法に関する。
【背景技術】
【０００２】
従来、血管や血管中の血液に関する生体情報を取得する生体情報取得装置が知られている（例えば、特許文献１）。特許文献１には、（ｉ）生体中のどこに血管が存在するかを把握するために、複数の発光素子を一斉に発光させることにより血管の位置を把握し、（ｉｉ）血管の位置に基づいて特定の位置の発光素子を発光させることにより生体の血糖値を取得する技術が記載されている。
【先行技術文献】
【特許文献】
【０００３】
【特許文献１】特開２０１４−１２４４５５号公報
【特許文献２】特開２００７−４４４９１号公報
【特許文献３】特開２０１４−１２４４５４号公報
【発明の概要】
【発明が解決しようとする課題】
【０００４】
しかし、特許文献１の技術では、特に、生体中のどこに血管が存在するかを把握するために複数の発光素子を一斉に発光させるため、大量のエネルギーが必要であった。このため、省エネルギー化を実現する技術が望まれていた。このような要望は、血管の位置を調べる場合に限らず、一般に、生体情報を取得する場合に共通する要望であった。
【課題を解決するための手段】
【０００５】
本発明は、上述の課題の少なくとも一部を解決するためになされたものであり、以下の形態または適用例として実現することが可能である。
【０００６】
（１）本発明の第１の形態によれば、生体情報取得装置が提供される。この生体情報取得装置は、生体へ光を照射する複数の発光素子と、前記生体を透過した光を受光する受光部と、前記発光素子と前記受光部とを制御し、前記複数の発光素子のうちの少なくとも一つの発光素子に照射させた光を、前記受光部に受光させることにより第１の生体情報を取得し、前記複数の発光素子のうちの少なくとも一つの発光素子に照射させた光を、前記受光部に受光させることにより、前記第１の生体情報とは異なる第２の生体情報を取得する、制御部と、を備え、前記第１の生体情報は、前記生体の血管位置を特定する情報を含み、前記第１の生体情報を取得する際に発光した発光素子一つあたりの単位面積あたりの発光パワーは、前記第２の生体情報を取得する際に発光した発光素子一つあたりの単位面積あたりの発光パワーよりも小さいことを特徴とする。
本実施形態の生体情報取得装置によれば、第１の生体情報を取得する際に発光した発光素子一つあたりの単位面積あたりの発光パワーと、第２の生体情報を取得する際に発光した発光素子一つあたりの単位面積あたりの発光パワーとを同じとした場合に比べて、第１の生体情報を取得する際の発光素子一つあたりの単位面積あたりの発光パワーを小さくすることができるので、省エネルギー化を実現できる。
【０００７】
（２）本発明の他の形態によれば、生体情報取得装置が提供される。この生体情報取得装置は、生体へ光を照射する複数の発光素子と、前記生体を透過した光を受光する受光部と、前記発光素子と前記受光部とを制御し、前記複数の発光素子のうちの少なくとも一つの発光素子に照射させた光を、前記受光部に受光させることにより第１の生体情報を取得し、前記複数の発光素子のうちの少なくとも一つの発光素子に照射させた光を、前記受光部に受光させることにより、前記第１の生体情報とは異なる第２の生体情報を取得する、制御部と、を備え、前記第１の生体情報は、前記生体の血管位置を特定する情報を含み、前記第１の生体情報を取得する際に発光した発光素子一つあたりの電力密度は、前記第２の生体情報を取得する際に発光した発光素子一つあたりの電力密度よりも小さいことを特徴とする。
本実施形態の生体情報取得装置によれば、第１の生体情報を取得する際に発光した発光素子一つあたりの電力密度と、第２の生体情報を取得する際に発光した発光素子一つあたりの電力密度とを同じとした場合に比べて、第１の生体情報を取得する際の発光素子一つあたりの電力密度を小さくすることができるので、省エネルギー化を実現できる。
【０００８】
（３）上記生体情報取得装置において、前記第１の生体情報を取得する際に発光した発光素子一つあたりの電流密度は、前記第２の生体情報を取得する際に発光した発光素子一つあたりの電流密度よりも小さくてもよい。
本実施形態の生体情報取得装置によれば、第１の生体情報を取得する際に発光した発光素子一つあたりの電流密度と、第２の生体情報を取得する際に発光した発光素子一つあたりの電流密度とを同じとした場合に比べて、第１の生体情報を取得する際の発光素子一つあたりの電流密度を小さくすることができるので、省エネルギー化を実現できる。
【０００９】
（４）本発明の他の形態によれば、生体情報取得装置が提供される。この生体情報取得装置は、生体へ光を照射する複数の発光素子と、前記生体を透過した光を受光する受光部と、前記発光素子と前記受光部とを制御する制御部し、前記複数の発光素子のうちの少なくとも一つの発光素子に照射させた光を、前記受光部に受光させることにより第１の生体情報を取得し、前記複数の発光素子のうちの少なくとも一つの発光素子に照射させた光を、前記受光部に受光させることにより、前記第１の生体情報とは異なる第２の生体情報を取得する、制御部と、を備え、前記第１の生体情報を取得する際に同時に発光した発光素子が外接する最小円の内側の領域である第１の発光領域における前記第１の生体情報を取得する際の発光パワーは、前記第２の生体情報を取得する際に同時に発光した発光素子が外接する最小円の内側の領域であり、前記第１の発光領域よりも小さい領域である第２の発光領域における前記第２の生体情報を取得する際の発光パワーよりも小さいことを特徴とする。
本実施形態の生体情報取得装置によれば、第１の発光領域における第１の生体情報を取得する際の発光パワーと、第２の発光領域における第２の生体情報を取得する際の発光パワーを同じとした場合に比べて、第１の発光領域における第１の生体情報を取得する際の発光パワーを小さくすることができるので、省エネルギー化を実現できる。
【００１０】
（５）本発明の他の形態によれば、生体情報取得装置が提供される。この生体情報取得装置は、生体へ光を照射する複数の発光素子と、前記生体を透過した光を受光する受光部と、前記発光素子と前記受光部とを制御し、前記複数の発光素子のうちの少なくとも一つの発光素子に照射させた光を、前記受光部に受光させることにより第１の生体情報を取得し、前記複数の発光素子のうちの少なくとも一つの発光素子に照射させた光を、前記受光部に受光させることにより、前記第１の生体情報とは異なる第２の生体情報を取得する、制御部と、を備え、前記第１の生体情報を取得する際に同時に発光した発光素子が外接する最小円の内側の領域である第１の発光領域内における前記第１の生体情報を取得する際の発光素子の消費電力は、前記第２の生体情報を取得する際に同時に発光した発光素子が外接する最小円の内側の領域であり、前記第１の発光領域よりも小さい領域である第２の発光領域内の発光素子における前記第２の生体情報を取得する際の発光素子の消費電力よりも小さいことを特徴とする。
本実施形態の生体情報取得装置によれば、第１の発光領域における第１の生体情報を取得する際の発光素子の消費電力と、第２の発光領域における第２の生体情報を取得する際の発光素子の消費電力を同じとした場合に比べて、第１の発光領域における第１の生体情報を取得する際の発光素子の消費電力を小さくすることができるので、省エネルギー化を実現できる。
【００１１】
（６）上記生体情報取得装置において、前記第１の生体情報を取得する際に前記第１の発光領域内の発光素子に流れる電流は、前記第２の生体情報を取得する際に前記第２の発光領域内の発光素子に流れる電流よりも小さくてもよい。
本実施形態の生体情報取得装置によれば、第１の生体情報を取得する際に第１の発光領域内の発光素子に流れる電流と、第２の生体情報を取得する際に第２の発光領域内の発光素子に流れる電流を同じとした場合に比べて、第１の生体情報を取得する際に第１の発光領域内の発光素子に流れる電流を小さくすることができるので、省エネルギー化を実現できる。
【００１２】
（７）上記生体情報取得装置において、前記第２の生体情報は、前記生体の血液中の情報を含んでもよい。
本実施形態の生体情報取得装置によれば、第２の生体情報として、生体の血液中の情報を取得できる。
【００１３】
（８）上記生体情報取得装置において、前記第１の生体情報は、前記生体の血管位置を特定する情報を含んでもよい。
本実施形態の生体情報取得装置によれば、第１の生体情報として、生体の血管位置を特定する情報を取得できる。
【００１４】
（９）上記生体情報取得装置において、前記第１の生体情報を取得する際に発光した発光素子の中で、前記第１の生体情報を取得する際の単位面積あたりの発光パワーが最も大きい発光素子の単位面積あたりの発光パワーは、前記第２の生体情報を取得する際に発光した発光素子の中で、前記第２の生体情報を取得する際の単位面積あたりの発光パワーが最も小さい発光素子の単位面積あたりの発光パワーよりも小さくてもよい。
本実施形態の生体情報取得装置によれば、第１の生体情報を取得する際に発光した発光素子の中で、第１の生体情報を取得する際の単位面積あたりの発光パワーが最も大きい発光素子の単位面積あたりの発光パワーと、第２の生体情報を取得する際に発光した発光素子の中で、第２の生体情報を取得する際の単位面積あたりの発光パワーが最も小さい発光素子の単位面積あたりの発光パワーとを同じとした場合に比べて、第１の生体情報を取得する際の単位面積あたりの発光パワーを小さくすることができるので、省エネルギー化を実現できる。
【００１５】
（１０）上記生体情報取得装置において、前記第１の生体情報を取得する際に発光した発光素子の中で、前記第１の生体情報を取得する際の電力密度が最も大きい発光素子の電力密度は、前記第２の生体情報を取得する際に発光した発光素子の中で、前記第２の生体情報を取得する際の電力密度が最も小さい発光素子の電力密度よりも小さくてもよい。
本実施形態の生体情報取得装置によれば、第１の生体情報を取得する際に発光した発光素子の中で、第１の生体情報を取得する際の電力密度が最も大きい発光素子の電力密度と、第２の生体情報を取得する際に発光した発光素子の中で、第２の生体情報を取得する際の電力密度が最も小さい発光素子の電力密度とを同じとした場合に比べて、第１の生体情報を取得する際の発光素子の電力密度を小さくすることができるので、省エネルギー化を実現できる。
【００１６】
（１１）上記生体情報取得装置において、前記第１の生体情報を取得する際に発光した発光素子の中で、前記第１の生体情報を取得する際の電流密度が最も大きい発光素子の電流密度は、前記第２の生体情報を取得する際に発光した発光素子の中で、前記第２の生体情報を取得する際の電流密度が最も小さい発光素子の電流密度よりも小さくてもよい。
本実施形態の生体情報取得装置によれば、第１の生体情報を取得する際に発光した発光素子の中で、第１の生体情報を取得する際の電流密度が最も大きい発光素子の電流密度と、第２の生体情報を取得する際に発光した発光素子の中で、第２の生体情報を取得する際の電流密度が最も小さい発光素子の電流密度とを同じとした場合に比べて、第１の生体情報を取得する際の発光素子の電流密度を小さくすることができるので、省エネルギー化を実現できる。
【００１７】
（１２）上記生体情報取得装置において、さらに、前記発光素子が光を照射するためのエネルギーを供給する電池を備えてもよい。
本実施形態の生体情報取得装置によれば、電池を備えることができる。
【００１８】
（１３）上記生体情報取得装置において、さらに、前記生体の手首に装着するための固定バンドを備えてもよい。
本実施形態の生体情報取得装置によれば、固定バンドを備えることができる。
【００１９】
（１４）上記生体情報取得装置において、前記発光素子として、ＯＬＥＤを用いてもよい。
本実施形態の生体情報取得装置によれば、ＯＬＥＤを用いることができる。
【００２０】
（１５）上記生体情報取得装置において、前記第２の生体情報は、前記生体の血液中のグルコース濃度または前記血液中の酸素飽和度であってもよい。
本実施形態の生体情報取得装置によれば、２の生体情報として、生体の血液中のグルコース濃度または血液中の酸素飽和度を取得できる。
【００２１】
本発明は、上述した形態以外の種々の形態でも実現可能であり、例えば、生体へ光を照射する複数の発光素子と、前記生体を透過した光を受光する受光部と、を備える生体情報取得装置により生体情報を取得する生体情報取得方法や、この方法を実現するコンピュータープログラム、及び、コンピュータープログラムを格納する一時的でない記録媒体（non-transitory storage medium）等の形態等で実現することが可能である。
【図面の簡単な説明】
【００２２】
【図１】第１実施形態における生体情報取得装置の構成を示す模式図。
【図２】センサーモジュールの一部を示す平面模式図。
【図３】センサーモジュールの構成図。
【図４】血管位置情報を取得する様子を説明する模式図。
【図５】生体画像に基づいて得られる血管パターンの例を示す図。
【図６】図５の血管パターンに基づいて得られる測定対象の血管部位の一例。
【図７】発光部と受光部との選択について説明する図。
【図８】生体組織内での光の伝播を説明する図。
【図９】発光部と発光素子との関係及び受光部と受光素子との関係を示す模式図。
【図１０】血管位置情報取得時及び血糖値情報取得時の光照射方法を説明する図。
【図１１】光照射条件を比較した実施例等を示す図。
【図１２】本実施形態における血糖値測定装置の機能構成図。
【図１３】血管部位データのデータ構成の一例を示す図。
【図１４】血糖値測定処理の流れを説明するフローチャート。
【発明を実施するための形態】
【００２３】
Ａ．第１実施形態：
Ａ１．装置構成：
図１は、第１実施形態における生体情報取得装置１０の構成を示す模式図である。生体情報取得装置１０は、光を用いて使用者２の生体情報を非侵襲に測定する生体情報取得装置である。本実施形態では、生体情報として、使用者２の血液中のグルコース濃度である血糖値を取得する。生体情報取得装置１０は、血糖値測定装置１０とも呼ぶ。生体情報取得装置１０は、腕時計型であり、本体ケース１２と、本体ケース１２を使用者２の手首や腕等の測定部位に装着及び固定するための固定バンド１４とを備えて構成されるウェアラブル装置（ウェアラブル機器）である。
【００２４】
本体ケース１２の表面（使用者２に装着したときに外向きになる面）には、タッチパネル１６や操作スイッチ１８が設けられている。このタッチパネル１６や操作スイッチ１８を用いて、使用者２が測定開始指示の入力を行ったり、測定結果がタッチパネル１６に表示されたりすることができる。
【００２５】
また、本体ケース１２の側面には、外部装置と通信するための通信装置２０と、メモリーカード２２のリーダーライター２４とが設けられている。通信装置２０は、有線ケーブルを着脱するためのジャックや、或いは、無線通信を行うための無線通信モジュール及びアンテナにより実現される。メモリーカード２２は、フラッシュメモリーや強誘電体メモリー（ＦｅＲＡＭ：Ferroelectric Random Access Memory）、磁気抵抗メモリー（ＭＲＡＭ：Magnetoresistive Random Access Memory）等のデータ書き換えが可能な不揮発性メモリーである。
【００２６】
また、本体ケース１２の裏面には、センサーモジュール５０が使用者２の皮膚面に接触可能に設けられている。センサーモジュール５０は、使用者２の皮膚面に測定光を照射し、使用者２の体を透過もしくは反射した光を受光する測定用のデバイスであり、光源内蔵の薄型イメージセンサーとなっている。
【００２７】
更に、本体ケース１２には、充電式の電池２６と、制御基板３０と、が内蔵されている。電池２６は、後述する発光素子５３が光を照射するためのエネルギーなどを供給する。電池２６への充電方式としては、本体ケース１２の背面側に電気接点を設け、家庭用電源に接続されたクレードルにセットし、電気接点を介してクレードル経由で充電される構成でも良いし、無線式充電でも良い。
【００２８】
制御基板３０には、ＣＰＵ（Central Processing Unit）と、メインメモリーと、測定データ用メモリーと、タッチパネルコントローラーと、センサーモジュールコントローラーとが搭載されている。メインメモリーは、プログラムや初期設定データを格納したり、ＣＰＵの演算値を格納することができる記憶媒体であり、ＲＡＭやＲＯＭ（Read Only Memory）、フラッシュメモリー等で実現される。なお、プログラムや初期設定データ、メモリーカード２２に記憶されている構成でも良い。測定データ用メモリーは、測定データを記憶するための記憶媒体であり、フラッシュメモリーや強誘電体メモリー（ＦｅＲＡＭ）、磁気抵抗メモリー（ＭＲＡＭ）等のデータ書き換え可能な不揮発性メモリーによって実現される。なお、測定データをメモリーカード２２に記憶する構成でも良い。
【００２９】
図２及び図３は、センサーモジュール５０の構成図である。図２はセンサーモジュール５０の一部を示す平面模式図であり、図３はセンサーモジュール５０の断面模式図である。図２に示すように、センサーモジュール５０は、その受発光領域内において、それぞれ規則的に配列された複数の発光素子５３及び複数の受光素子５９を有する。ここで、受発光領域とは、複数の発光素子５３及び受光素子５９を包含する領域をいう。
【００３０】
図３に示すように、センサーモジュール５０は、多数の発光素子５３を平面状に二次元配列した発光層５２と、受光層５８へ向かう光以外を選択的に遮断する遮光層５４と、近赤外線を選択的に透過させる分光層５６と、多数の受光素子５９を平面状に二次元配列した受光層５８とを積層して構成された光学センサーである。そして、このセンサーモジュール５０は、正面側（発光層５２の側の面）が使用者２の皮膚面に向くように、本体ケース１２の裏面側に設けられている。
【００３１】
発光素子５３は、生体へ光を照射する部位であり、例えばＬＥＤ（Light Emitting Diode）やＯＬＥＤ（Organic light-emitting diode）等により実現される。本実施形態では、血糖値（血液中のグルコース濃度）を測定するため、発光素子５３は、皮下透過性を有する近赤外線（波長が０．７μｍから２．５μｍの光）を含む光を発光可能な素子とする。本実施形態では、発光素子５３としてＯＬＥＤを用いる。
【００３２】
受光素子５９は、生体を透過又は反射した光を受光し、受光量に応じた電気信号を出力する部位であり、例えばＣＣＤ（Charge Coupled Device Image Sensor）やＣＭＯＳ（Complementary Metal Oxide Semiconductor Image Sensor）等の撮像素子で実現される。また、１つの受光素子５９は、検量に必要な各波長成分を受光する複数の素子を含む。
【００３３】
図２に示すように、発光素子５３及び受光素子５９は、共通のＸｓ−Ｙｓ直交座標系で定義されるマトリクス状に配置されている。そして、発光素子５３と受光素子５９とは、それぞれにおけるＸｓ，Ｙｓ軸方向それぞれの配置間隔が同一であるが、Ｘｓ−Ｙｓ平面において互い違いとなるように配置される。すなわち、発光素子５３と受光素子５９とのＸｓ，Ｙｓ軸方向の位置が、互いに所定長だけずれるように配列されている。
【００３４】
なお、発光素子５３及び受光素子５９それぞれの配置間隔は、適宜設定可能である。例えば、配置間隔は、１〜５００μｍとすると好適であり、製造コストと測定精度との兼ね合いから、例えば５０〜２００μｍとすることもできる。また、発光素子５３と受光素子５９とが積層された構成に限らず、発光素子５３と受光素子５９とが並置されていてもよい。
【００３５】
Ａ２．測定原理：
（Ａ）血糖値の測定
本実施形態における血糖値の測定原理について説明する。測定にあたり、血糖値測定装置１０は、センサーモジュール５０が使用者２の皮膚面に密着するようにして固定バンド１４で固定される。センサーモジュール５０を皮膚面に密着させることで、測定光の皮膚面での反射や皮膚面付近での散乱といった測定精度を下げる要因を抑制することができる。そして、センサーモジュール５０の直下の生体組織内における血管を測定対象として設定し、測定光がこの血管を透過した透過光を含む光を受光して吸光スペクトルを求め、血糖値を推定演算する。
【００３６】
（Ａ−１）血管位置情報の取得
具体的には、先ず、皮膚面から見た血管位置（血管パターン）情報を取得する。血管位置情報の取得は、公知の静脈認証技術における静脈位置情報の検出と同様に実現することができる。
【００３７】
図４は、血管位置情報を取得する様子を説明する模式図である。図４に示すように、センサーモジュール５０のすべての発光素子５３を一斉発光させ、使用者２の皮膚面に測定光を照射する。そして、受光素子５９を用いて、測定光が生体組織を透過した光（透過光）や、生体組織で反射した光（反射光）を受光すなわち撮影して、生体画像を取得する。なお、血管位置情報を取得する際に、センサーモジュール５０の一部の発光素子５３のみを発光させてもよい。
【００３８】
血管は非血管部よりも近赤外線を吸収し易いため、取得された生体画像において、血管の部分は非血管の部分よりも放射輝度が低く暗くなる。このため、生体画像において放射輝度が低くなっている部分を抽出することで、血管位置を抽出することができる。すなわち、生体画像を構成するピクセル毎に、その放射輝度が所定の閾値以下であるか否かによって、該当する受光素子５９の直下に血管が存在するか否か、すなわち血管の位置を取得することができる。
【００３９】
図５は、生体画像に基づいて得られる血管パターンＰ４の例を示す図である。血管パターンＰ４は、生体画像を構成するピクセル毎、すなわち受光素子５９の位置毎に、血管であるか非血管領域であるかを示した情報である。図５では、網掛けした帯状の部分が血管４であり、それ以外の白抜きされた部分が非血管領域８として抽出されている。
【００４０】
（Ａ−２）測定対象の血管部位の選択
血管位置情報を取得したならば、続いて、測定対象とする血管（より具体的には血管部位）を選択する。測定対象とする血管部位を、次の選択条件を満たすように選択する。選択条件とは、「血管の分岐部分や合流部分、画像の端部以外の部位であり、且つ、血管長手方向において所定の長さ及び所定の幅を有する」ことである。
【００４１】
血管の分岐・合流部分５ａ（図５参照）では、受光光に、測定対象以外の血管を通過した光が混合する可能性がある。測定対象の血管部位以外の血管の透過光は、測定対象の血管部位の吸光スペクトルに影響を及ぼし、測定精度が低下する可能性がある。このため、血管の分岐・合流部分５ａを除いた血管部分から測定対象の血管部位を選択することとする。
【００４２】
また、生体画像の端部５ｂ（図５参照）では、画像の外側近傍の血管の分岐や合流といった構造が不明であるため、上述と同様の理由による測定精度の低下の可能性がある。これを避けるために、画像端部５ｂを除いた血管部分から測定対象の血管部位を選択することとする。
【００４３】
発光素子５３からの照射光は、生体組織内を拡散反射し、その一部が受光素子５９にて受光される。つまり、受光素子５９にて受光される光の一部が対象血管の透過光となるが、この透過光の割合が高いほど、対象血管の血中成分の特徴をより顕著に表した吸光スペクトルとなり得る。すなわち、測定精度が高くなる。
【００４４】
比較的細く写っている血管（幅方向の長さが短い血管）は、本来的に細い血管であるか、比較的深い位置にある血管である。こういった血管では透過光の光量が少なくなり、測定精度の低下が生じ得る。このため、細く写った血管を除いた血管部分（すなわち、所定の幅を有する血管部位）から、測定対象の血管部位を選択することとする。
【００４５】
そして、図６は、図５の血管パターンＰ４に基づいて得られる測定対象の血管部位６の一例である。図６において、血管４のうち、斜線でハッチングされた部分が、測定対象として選択された血管部位６である。
【００４６】
（Ａ−３）発光部及び受光部の選択
続いて、発光部Ｌと受光部Ｓとを選択する。
【００４７】
図７は、発光部Ｌと受光部Ｓとの選択について説明する図である。発光部Ｌと受光部Ｓとは、血管の位置に基づいて選択される。本実施形態において、（ｉ）血管の上にある発光部Ｌを、測定用発光部Ｌｄとして選択し、（ｉｉ）測定用発光部Ｌｄから所定距離Ｗだけ離れており、かつ、血管の上にある受光部Ｓを、測定用受光部Ｓｄとして選択する。ここで、「血管の上」とは、測定対象の血管部位６の上であることをいう。
【００４８】
また、（ｉｉｉ）血管の上にない発光部Ｌをリファレンス用発光部Ｌｒとして選択し、（ｉｖ）リファレンス用発光部Ｌｒから所定距離Ｗだけ離れており、かつ、血管の上にない受光部Ｓをリファレンス用受光部Ｓｒとして選択する。ここで、「血管の上にない」とは、測定対象の血管部位６を含む血管４の上にないことをいう。所定距離Ｗは、次のように定められる。
【００４９】
図８は、生体組織内での光の伝播を説明する図であり、深さ方向に沿った断面図を示している。ある発光部Ｌから照射された光は、生体組織内を拡散反射し、照射された光の一部がある受光部Ｓに到達する。その光の伝播経路は、いわゆるバナナ形状（２つの弧で挟まれた領域）を成し、略中央付近で深さ方向の幅が最も広くなるとともに、発光素子５３と受光素子５９との間隔に応じて全体の深さ（到達可能な深さ）が深くなる。
【００５０】
測定精度を高めるには、血管４を透過したより多くの透過光が受光部Ｓで受光されることが望ましい。このことから、発光部Ｌと受光部Ｓとの下方に対象血管４が位置することが好ましく、対象血管４の想定する深さＤに応じた所定距離Ｗが定められる。所定距離Ｗ、すなわち発光部Ｌと受光部Ｓとの間の最適な間隔Ｗは、血管４の皮膚面からの深さＤの約２倍の距離とする。例えば、深さＤを３ｍｍ程度とすると、最適距離Ｗは５〜６ｍｍ程度となる。次に、発光部Ｌと発光素子５３との関係及び受光部Ｓと受光素子５９との関係について説明する。
【００５１】
図９は、発光部Ｌと発光素子５３との関係及び受光部Ｓと受光素子５９との関係を示す模式図である。本実施形態における発光部Ｌは、発光領域ＲＬ内の複数の発光素子５３から形成されている。
【００５２】
図９では、第２の発光領域ＲＬ２が記載されている。なお、第１の発光領域は、後述する。図９において、第２の発光領域ＲＬ２は、縦（Ｙｓ方向）及び横（Ｘｓ方向）にそれぞれ３つずつの発光素子５３が入る領域である。
【００５３】
本実施形態において、センサーモジュール５０は、第２の発光領域ＲＬ２内に含まれる発光素子５３の数よりも多い発光素子５３を備える。このため、センサーモジュール５０の受発光領域には複数の発光部Ｌが存在することとなる。そして、複数の発光部Ｌから測定用発光部Ｌｄまたはリファレンス用発光部Ｌｒが選択される。測定用発光部Ｌｄとして発光させる複数の発光素子５３が含まれる領域を第１発光領域とも呼び、リファレンス用発光部Ｌｒとして発光させる複数の発光素子５３が含まれる領域を第２発光領域とも呼ぶ。
【００５４】
同様に、本実施形態における受光部Ｓは、受光領域Ｒ２内の複数の受光素子５９から形成されている。受光領域Ｒ２は、センサーモジュール５０の受発光領域のうちの一部の領域であり、一定の形状及びサイズを有する領域をいう。本明細書において、「受光領域」は、同時に受光する受光素子５９が外接する最小円の内側の領域を言う。図９において、受光領域Ｒ２は、縦（Ｙｓ方向）に３つの受光素子５９が入り、横（Ｘｓ方向）に３つの受光素子５９が入る領域とし、受光領域Ｒ２内の全ての受光素子５９を受光部Ｓとして受光させる。
【００５５】
本実施形態において、センサーモジュール５０は、受光領域Ｒ２内に含まれる受光素子５９の数よりも多い受光素子５９を備える。このため、センサーモジュール５０の受発光領域には複数の受光部Ｓが存在することとなる。そして、複数の受光部Ｓから測定用受光部Ｓｄまたはリファレンス用受光部Ｓｒが選択される。測定用受光部Ｓｄとして受光させる複数の受光素子５９が含まれる領域を第１受光領域とも呼び、リファレンス用受光部Ｓｒとして発光させる複数の受光素子５９が含まれる領域を第２受光領域とも呼ぶ。
【００５６】
なお、受光領域Ｒ２内の全ての受光素子５９を受光させなくてもよい。本実施形態において、発光部Ｌと受光部Ｓとの所定距離Ｗとは、発光領域ＲＬの重心と受光領域Ｒ２の重心との距離をいう。これらの重心は、領域の形状に応じて決まる幾何学的な重心である。
【００５７】
本実施形態において、測定用発光部Ｌｄと測定用受光部Ｓｄとを結ぶ直線Ｌ１と、リファレンス用発光部Ｌｒとリファレンス用受光部Ｓｒとを結ぶ直線Ｌ２とは、略平行である。なお、「略平行」とは、２つの直線Ｌ１，Ｌ２が成す角が１０°以内であることをいう。また、測定用発光部Ｌｄとリファレンス用発光部Ｌｒとの距離Ｊは、６ｍｍ以下であることが好ましく、本実施形態において、この距離Ｊは５ｍｍである。
【００５８】
（Ａ−４）血糖値情報の取得
測定対象の血管部位６に対する測定用発光部Ｌｄ、測定用受光部Ｓｄ、リファレンス用発光部Ｌｒ、及びリファレンス用受光部Ｓｒを選択すると、血糖値情報の取得を行う。具体的には、まず、測定用発光部Ｌｄを発光させ、その光の測定用受光部Ｓｄからの受光結果Ｑ１（「第１の受光結果Ｑ１」と呼ぶ）を取得する。次に、リファレンス用発光部Ｌｒを発光させ、その光のリファレンス用受光部Ｓｒからの受光結果Ｑ２（「第２の受光結果Ｑ２」と呼ぶ）を取得する。そして、受光結果Ｑ１と受光結果Ｑ２とを用いて、吸光スペクトルを生成する。続いて、吸光スペクトルに基づき、予め定められた血糖値（血液中のグルコース濃度）と吸光度との関係を示す検量線を用いて、血糖値情報の取得を行う。なお、吸光スペクトルから所定成分（本実施形態ではグルコース）の濃度を算出する技術自体は公知であり、本実施形態ではその公知技術を適用可能である。
【００５９】
（Ａ−５）血管位置情報取得時及び血糖値情報取得時の光照射方法
図１０は、血管位置情報取得時及び血糖値情報取得時の光照射方法を説明する図である。図１０において、（ｉ）血管位置情報取得時のセンサーモジュール５０の発光状態と、（ｉｉ）血糖値情報取得時のセンサーモジュール５０の発光状態とを示す。なお、図１０において、ハッチングが施されている発光素子５３が発光していることを示し、ハッチングの濃さが濃いほど、光の照射量が大きいことを示す。なお、どの発光素子が発光しているかは、センサーモジュール５０を、赤外領域に感度を有するカメラで撮像すれば、発光している発光素子５３を特定できる。
【００６０】
血管位置情報取得時のセンサーモジュール５０の発光状態に示す第１の発光領域ＲＬ１は、血管位置情報を取得する際に同時に発光する発光素子５３が外接する最小円の内側の領域である。本実施形態において、血管位置情報を取得する際には、同時に全ての発光素子５３が発光する。このため、第１の発光領域ＲＬ１は、全ての発光素子５３が外接する最小円の内側の領域である。
【００６１】
血糖値情報取得時のセンサーモジュール５０の発光状態に示す第２の発光領域ＲＬ２は、血糖値情報を取得する際に同時に発光する発光素子５３が外接する最小円の内側の領域である。本実施形態において、血糖値情報を取得する際には、縦３個、横３個の併せて９個の発光素子５３が発光する。このため、第２の発光領域ＲＬ２は、この９個の発光素子５３が外接する最小円の内側の領域である。
【００６２】
本実施形態では、血管位置情報を取得する際には、センサーモジュール５０の全ての発光素子５３が同時に発光し、発光した発光素子５３一つあたりの単位面積あたりの発光パワーは、５ｍＷ／ｃｍ２である。一方、本実施形態では、血糖値情報を取得する際には、センサーモジュール５０のうちの一部分（ここでは９個）の発光素子のみが発光し、発光した発光素子５３一つあたりの単位面積あたりの発光パワーは、３４ｍＷ／ｃｍ２である。つまり、本実施形態において、血管位置情報を取得する際に発光した発光素子５３一つあたりの単位面積あたりの発光パワーは、血糖値情報を取得する際に発光した発光素子５３一つあたりの単位面積あたりの発光パワーよりも小さい。具体的には、血管位置情報を取得する際に同時に発光した発光素子５３一つあたりの単位面積あたりの発光パワーは、血糖値情報を取得する際に同時に発光した発光素子５３一つあたりの単位面積あたりの発光パワーの７分の１程度である。なお、発光パワーは、パワーメーターで測定することができる。パワーメーターは、例えば、可視光から約１０００ｎｍまで感度を有するＳｉまたは約８００から約１７００ｎｍまで感度を有するＩｎＧａＳの光電変換部等、を有するパワーメーターを用いることができる。
【００６３】
一般に、測定精度や取得する生体情報により、必要な光の照射量が異なる。例えば、血管位置情報を取得する場合、血液成分の中でも光の吸収率が高いヘモグロビンを測定対象とする。この場合、ヘモグロビンを酸化ヘモグロビンと還元ヘモグロビンとを区別する必要がないため、比較的容易に光の受光ができる。このため、比較的小さな光量でも血管位置は取得できる。
【００６４】
一方、血糖値情報を取得する場合など、つまり、グルコースなどの血液中に微量しか含まれていない物質の情報を取得する場合、光測定で得られる信号が小さいため、測定時に大きな光量が必要となる。
【００６５】
本実施形態では、血管位置情報を取得する際に発光した発光素子５３一つあたりの単位面積あたりの発光パワーは、血糖値情報を取得する際に発光した発光素子５３一つあたりの単位面積あたりの発光パワーよりも小さい。このため、血管位置情報や血糖値情報の精度を下げることなく、無駄なエネルギーの消費を抑制できるため、生体情報取得装置１０として省エネルギー化を図ることができる。この結果として、電池２６の容量を小さくできるため、生体情報取得装置１０の小型化や軽量化を図ることができる。
【００６６】
また、単位面積あたりの発光パワー（ｍＷ／ｃｍ２）は、発光素子５３に印加される電流密度（ｍＡ／ｃｍ２）に概ね比例する。本実施形態では、血管位置情報を取得する際に発光した発光素子５３一つあたりに印加される電流密度は、１００ｍＡ／ｃｍ２である。一方、本実施形態では、血糖値情報を取得する際に発光した発光素子５３一つあたりに印加される電流密度は、７００ｍＡ／ｃｍ２である。つまり、本実施形態において、血管位置情報を取得する際に発光した発光素子５３一つあたりに印加される電流密度は、血糖値情報を取得する際に発光した発光素子５３一つあたりに印加される電流密度よりも小さい。
【００６７】
図１１は、血管位置情報取得時及び血糖値情報取得時の光照射条件を比較した実施例等を示す図である。図１１では、光照射条件として、（ｉ）正味発光面積、（ｉｉ）電流密度、（ｉｉｉ）印加電流、（ｉｖ）駆動電圧、（ｖ）消費電力、（ｖｉ）電力密度、（ｖｉｉ）単位面積あたりの発光パワー、（ｖｉｉｉ）発光パワー、（ｉｖ）外接円内発光面積、（ｖ）発光領域あたりの発光パワーを示すとともに、その光照射条件で照射した後のセンサーモジュール５０の表面温度を示す。本実施形態は、実施例１に相当し、図１１には、それ以外に、実施例２〜４と比較例とを示す。
【００６８】
本実施形態において、血管位置情報を取得する際に発光した発光素子５３の発光面積である正味発光面積は、１．２ｃｍ２である（実施例１参照）。一方、血糖値情報を取得する際に発光した発光素子５３の発光面積である正味発光面積は、０．０１２ｃｍ２である。つまり、血管位置情報を取得する際の発光面積は、血糖値情報を取得する際の発光面積より大きく、血管位置情報を取得する際の発光面積は、血糖値情報を取得する際の発光面積の１００倍である。なお、図１０は、内容の理解を容易とする観点から、実際の縮尺とは異なる。
【００６９】
このため、血管位置情報を取得する際に発光した発光素子５３一つあたりの単位面積あたりの発光パワーを、血糖値情報を取得する際に発光した発光素子５３一つあたりの単位面積あたりの発光パワーと同じとした場合、図１１の比較例に示すような結果となる。つまり、血管位置情報を取得する際の消費電力が５４６０ｍＷと大きくなり、センサーモジュール５０の表面温度は１００℃より高くなる。
【００７０】
一般に、光源から光を照射する際に発生する熱は、投入する電力に依存する。そして、発生した熱は、センサーモジュール５０から本体ケース１２に伝達し、最終的には、装着する人体に達する。このため、比較例に示すような温度までセンサーモジュール５０が上昇することは、生体情報取得装置１０を装着する人体にとって危険となり得る。また、この１００℃より高い温度とまでは行かなくても、生体情報取得装置１０の温度を一定温度以下に保っていないと、生体情報取得装置１０を人体に長時間接触させた状態で用いる場合に、低温やけどが生じる虞がある。このため、血管位置情報を取得時に広範囲の発光素子５３を発光させる場合には、特に発光パワーの制御が大切となる。
【００７１】
なお、血管位置情報を取得する際に同時に発光した発光素子５３が外接する最小円の内側の領域である第１の発光領域ＲＬ１の面積である外接円内発光面積は、上記の正味発光面積とは異なり、約１．９ｃｍ２である（実施例１参照）。一方、血糖値情報を取得する際に同時に発光した発光素子５３が外接する最小円の内側の領域である第２の発光領域ＲＬ２の面積である発光面積は、約０．０１９ｃｍ２である。このため、第１の発光領域ＲＬ１あたりの発光パワーは、約３．２ｍＷ／ｃｍ２となり、第２の発光領域ＲＬ２あたりの発光パワーは、約２２ｍＷ／ｃｍ２となる。
【００７２】
また、本実施形態の生体情報取得装置１０では、発光素子５３としてＯＬＥＤを用いている。ＯＬＥＤに使用される有機材料のガラス転移温度は、一般的に９０℃から１３０℃程度であるが、発光により生じる熱により、ガラス転移温度まで達する虞がある。そして、ガラス転移温度に達した場合、ＯＬＥＤの発光効率の低下などが起こり得る。しかし、本実施形態では、発光素子５３の発光パワーを適宜制御することにより、発光素子５３の劣化を抑制することができるため、ＯＬＥＤを用いることができる。
【００７３】
（Ａ−６）その他の技術説明
吸光スペクトルを生成するとき、例えば発光部Ｌによる発光光の波長を変化させることで皮膚面への照射光の波長λを近赤外領域内で変化させて、波長λ毎の血管部位６の透過率を求める。透過率Ｔ（λ）は、測定用受光部Ｓｄによって得られた光強度Ｏｓ（λ）と、リファレンス用受光部Ｓｒによって得られた光強度Ｏｒ（λ）とから、Ｔ（λ）＝Ｏｓ（λ）／Ｏｒ（λ）、として得られる。そして、この透過率から吸光率を求めて吸光スペクトルを生成する。
【００７４】
ここで、透過率の算出原理について簡単に説明する。一般的に、発光部Ｌによる照射光の強度をＰ（λ）、照射光が透過した物体部分の透過率をＴ（λ）、受光部Ｓに定められている感度をＳ（λ）とすると、受光部Ｓで得られる光強度Ｏ（λ）は、Ｏ（λ）＝Ｐ（λ）・Ｔ（λ）・Ｓ（λ）、で与えられる。
【００７５】
この関係式より、血管４の透過光を含まないリファレンス用受光部Ｓｒで得られる光強度Ｏｒ（λ）は、非血管領域部分の透過率Ｔ（λ）を「１」と仮定すると、Ｏｒ（λ）＝Ｐ（λ）・Ｓ（λ）、となる。
【００７６】
また、血管４の透過光を含む測定用受光部Ｓｄで得られる光強度Ｏｓ（λ）は、Ｏｓ（λ）＝Ｐ（λ）・Ｔ（λ）・Ｓ（λ）、となる。この２つの式から、透過率Ｔ（λ）が求められる。また、この透過率Ｔ（λ）は、非血管領域８の透過率に対する相対的な値となる。
【００７７】
Ａ３．機能構成：
図１２は、本実施形態における血糖値測定装置１０の機能構成図である。血糖値測定装置１０は、機能的には、操作入力部１１０と、表示部１２０と、音出力部１３０と、通信部１４０と、照射部２１０と、撮像部２２０と、制御部３００と、記憶部４００とを備えて構成される。
【００７８】
操作入力部１１０は、ボタンスイッチやタッチパネル、各種センサー等の入力装置であり、なされた操作に応じた操作信号を制御部３００に出力する。この操作入力部１１０によって、血糖値の測定開始指示等の各種指示入力が行われる。図１では、操作スイッチ１８やタッチパネル１６がこれに該当する。
【００７９】
表示部１２０は、ＬＣＤ（Liquid Crystal Display）等の表示装置であり、制御部３００からの表示信号に基づく各種表示を行う。この表示部１２０に、測定結果等が表示される。図１では、タッチパネル１６がこれに該当する。
【００８０】
音出力部１３０は、スピーカー等の音出力装置であり、制御部３００からの音信号に基づく各種音出力を行う。この音出力部１３０によって、血糖値の測定開始や測定終了、低血糖値発生等の報知音が出力される。
【００８１】
通信部１４０は、無線通信機やモデム、有線用の通信ケーブルのジャックや制御回路等の通信装置であり、通信回線と接続して外部との通信を実現する。図１では、通信装置２０がこれに該当する。
【００８２】
照射部２１０は、平面状に二次元配列された多数の発光素子５３を有する。図２に示すセンサーモジュール５０の発光層５２がこれに該当する。この照射部２１０の配置位置（具体的には、Ｘｓ−Ｙｓ直交座標系における各発光素子５３の位置座標）については、発光素子リスト４０６として記憶されている。
【００８３】
撮像部２２０は、平面状に二次元配列された多数の受光素子５９を有する。図２に示すセンサーモジュール５０の受光層５８がこれに該当する。この撮像部２２０の配置位置（具体的には、Ｘｓ−Ｙｘ直交座標系における各受光素子５９の位置座標）については、受光素子リスト４０８として記憶されている。
【００８４】
制御部３００は、例えばＣＰＵやＧＰＵ（Graphics Processing Unit）等のマイクロプロセッサーや、ＡＳＩＣ（特定用途向け集積回路：Application Specific Integrated Circuit）、ＩＣメモリー等の電子部品によって実現され、所定のプログラムやデータ、操作入力部１１０からの操作信号に基づいて各種の演算処理を実行して、血糖値測定装置１０の動作を制御する。図１では、制御基板３０がこれに該当する。また、制御部３００は、血糖値測定部３１０と、照射制御部３４２と、撮像制御部３４４とを有する。照射制御部３４２は、複数の発光素子５３それぞれを選択的に発光制御する。撮像制御部３４４は、複数の受光素子５９それぞれから受光した光量を取得する。
【００８５】
血糖値測定部３１０は、生体画像取得部３１４と、血管パターン取得部３１６と、血管部位選択部３１８と、測定用受発光部選択部３２０と、リファレンス用受発光部選択部３２２と、吸光スペクトル算出部３２４と、成分値算出部３２６とを有し、使用者２の血液中のグルコース濃度すなわち血糖値の測定を行う。
【００８６】
生体画像取得部３１４は、使用者２の生体画像の取得を行う。生体画像の取得は、公知の静脈認証技術等における生体画像の撮影技術を適宜利用することで実現する。すなわち、発光素子５３を一斉発光させ、受光素子５９による測光（撮影）を行う。そして、測光結果による放射輝度画像、すなわち生体画像を生成する。生体画像取得部３１４によって取得された生体画像は、生体画像データ４１４として記憶される。
【００８７】
血管パターン取得部３１６は、生体画像取得部３１４によって取得された生体画像に対する所定の画像処理を行って、血管パターンを取得する。具体的には、公知の静脈認証技術における生体画像から静脈パターンを識別する技術を適宜利用することで実現する。例えば、生体画像のピクセル毎に、基準放射輝度と比較して２値化やフィルター処理を施す。基準放射輝度未満のピクセルが血管、基準放射輝度以上のピクセルが非血管領域を示すことになる。血管パターン取得部３１６によって取得された血管パターンは、血管パターンデータ４１６として記憶される。
【００８８】
血管部位選択部３１８は、血管パターン取得部３１６によって取得された血管パターンに基づいて、所定の選択条件を示す血管部位６を測定対象として選択する。ここで、測定対象とする血管部位６は、１つであっても良いし複数としても良い。測定対象として選択された血管部位６それぞれについては、血管部位データ４１８として記憶される。
【００８９】
図１３は、血管部位データ４１８のデータ構成の一例を示す図である。血管部位データ４１８は、当該血管部位の識別情報である血管部位ＩＤ４１８ａと、部位ピクセルリスト４１８ｂと、中心線位置情報４１８ｃと、血管長手方向の長さである部位長４１８ｄと、測定用発光部データ４１８ｅと、測定用受光部データ４１８ｆと、リファレンス用発光部データ４１８ｇと、リファレンス用受光部データ４１８ｈとを格納している。部位ピクセルリスト４１８ｂは、当該血管部位に対応するピクセル（すなわち、受光素子５９）の一覧である。中心線位置情報４１８ｃは、Ｘｓ−Ｙｓ直交座標系における当該血管部位の中心線（血管幅方向の中心であり血管長さ方向に沿った線）の位置座標の情報である。
【００９０】
測定用受発光部選択部３２０は、測定対象の血管部位６それぞれについて、測定用発光部Ｌｄ及び測定用受光部Ｓｄを選択する。具体的には、Ｘｓ−Ｙｓ直交座標系において（すなわち、皮膚面において）、血管部位６の中心線上の一の位置を測定用発光部Ｌｄとして選択し、測定用発光部Ｌｄから所定距離Ｗだけ離れており、かつ、血管部位６の中心線上にある測定用受光部Ｓｄを選択する。この測定用発光部Ｌｄと測定用受光部Ｓｄとの選択条件を第１の条件とも呼ぶ。所定距離Ｗは、最適距離データ４１０として記憶されている。血管部位６の中心線上の一の位置の選択方法は、例えば、血管部位６の長手方向の略中心位置として定める。選択された測定用発光部Ｌｄは、測定用発光部データ４１８ｅとして記憶され、選択された測定用受光部Ｓｄは、測定用受光部データ４１８ｆとして記憶される。
【００９１】
なお、上記第１の条件を満たす測定用発光部Ｌｄ及び測定用受光部Ｓｄが存在しない場合には、当該一の位置から血管部位６の中心線に沿って所定の単位距離離れた位置について、同様に上記第１の条件を満たす測定用発光部Ｌｄ及び測定用受光部Ｓｄが存在するかを判断する。それでも上記第１の条件を満たす測定用発光部Ｌｄ及び測定用受光部Ｓｄが存在しない場合には、同様にこれを繰り返すことで、測定用発光部Ｌｄ及び測定用受光部Ｓｄを検索及び選択を行なう。リファレンス用発光部Ｌｒは、リファレンス用発光部データ４１８ｇとして記憶され、選択されたリファレンス用発光部Ｌｒは、リファレンス用受光部データ４１８ｈとして記憶される。
【００９２】
リファレンス用受発光部選択部３２２は、測定用受発光部選択部３２０によって設定された測定用発光部Ｌｄ及び測定用受光部Ｓｄを基準として、血管４の上にない一の位置をリファレンス用発光部Ｌｒとして選択し、リファレンス用発光部Ｌｒから所定距離Ｗだけ離れており、かつ、血管４の上にないリファレンス用受光部Ｓｒを選択する。このリファレンス用発光部Ｌｒとリファレンス用受光部Ｓｒとの選択条件を第２の条件とも呼ぶ。
【００９３】
本実施形態において、図７に示すように、測定用発光部Ｌｄとリファレンス用発光部Ｌｒとの距離が５ｍｍであり、測定用発光部Ｌｄと測定用受光部Ｓｄとを結ぶ直線と、リファレンス用発光部Ｌｒとリファレンス用受光部Ｓｒとを結ぶ直線とが平行となるリファレンス用受光部Ｓｒを選択する。第１の条件と第２の条件と異なる上記選択条件を第３の選択条件と呼ぶ。なお、上記第２の条件及び第３の条件を満たすリファレンス用発光部Ｌｒ及びリファレンス用受光部Ｓｒが存在しない場合には、再度、測定用受発光部選択部３２０による測定用発光部Ｌｄ及び測定用受光部Ｓｄの検索及び選択を行う。
【００９４】
吸光スペクトル算出部３２４は、測定対象の血管部位６それぞれについて、吸光スペク
トルを生成する。具体的には、測定用受光部Ｓｄからの第１の受光結果Ｑ１及びリファレンス用受光部Ｓｒからの第２の受光結果Ｑ２をもとに、波長λ毎の透過率Ｔを算出することで、吸光スペクトルを生成する。更に、測定対象の血管部位６が複数有る場合は、これら複数の測定対象の血管部位６それぞれの吸光スペクトルを平均して平均吸光スペクトルを算出する。吸光スペクトル算出部３２４によって算出された吸光スペクトルは、吸光スペクトルデータ４２０として記憶される。
【００９５】
成分値算出部３２６は、吸光スペクトル算出部３２４によって算出された吸光スペクトルに基づいて、目的とする血液成分の血中濃度であるグルコース濃度（すなわち、血糖値）を算出する。本実施形態では、吸光スペクトルを、重回帰分析法、主成分回帰分析法、ＰＬＳ回帰分析法、独立成分分析法等の分析法を用いる。なお、測定対象の血管部位６が複数有る場合には、各血管部位６に係る吸光スペクトルを平均した平均吸光スペクトルから血糖値を算出する。成分値算出部３２６によって算出された血糖値は、測定時刻と対応付けて、測定血糖値データ４２２として蓄積記憶される。
【００９６】
記憶部４００は、ＲＯＭやＲＡＭ、ハードディスク等の記憶装置であり、制御部３００が血糖値測定装置１０を統合的に制御するためのプログラムやデータ等を記憶しているとともに、制御部３００の作業領域として用いられ、制御部３００が実行した演算結果や、操作入力部１１０からの操作データ等が一時的に格納される。図１では、制御基板３０に搭載されるメインメモリーや測定データ用メモリーがこれに該当する。また、記憶部４００には、システムプログラム４０２と、血糖値測定プログラム４０４と、発光素子リスト４０６と、受光素子リスト４０８と、最適距離データ４１０と、生体画像データ４１４と、血管パターンデータ４１６と、血管部位データ４１８と、吸光スペクトルデータ４２０と、測定血糖値データ４２２とが記憶される。
【００９７】
Ａ４．生体情報取得方法：
図１４は、生体情報取得方法としての血糖値測定処理の流れを説明するフローチャートである。この処理は、制御部３００が、血糖値測定プログラム４０４に従った処理を実行することで実現される。
【００９８】
図１４によれば、血糖値測定部３１０が、使用者の血糖値を測定する測定処理を行う。まず、血糖値測定部３１０の生体画像取得部３１４が、センサーモジュール５０の発光面のほぼ全面（すなわち、ほぼ全ての発光素子５３を含む範囲）を発光範囲とし、発光範囲内の発光素子５３を発光させて、使用者の生体画像を取得する（ステップＰ１２０）。続いて、血管パターン取得部３１６が、得られた生体画像に基づいて、皮膚面から見た血管パターンを取得する（ステップＰ１３０）。その結果、血管パターンが得られないならば（ステップＰ１４０：ＮＯ）、ステップＰ１２０に戻る。
【００９９】
血管パターンが得られたならば（ステップＰ１４０：ＹＥＳ）、血管部位選択部３１８が、得られた血管パターンに基づいて、所定の選択条件を満たす測定対象の血管部位６を選択する（ステップＰ１５０）。そして、測定用受発光部選択部３２０が、測定用発光部Ｌｄ及び測定用受光部Ｓｄを選択する（ステップＰ１６０）。次いで、測定用発光部Ｌｄを発光させ（ステップＰ１７０）、選択された測定用受光部Ｓｄにより第１の受光結果Ｑ１を得る（ステップＰ１８０）。
【０１００】
その後、リファレンス用受発光部選択部３２２が、リファレンス用発光部Ｌｒ及びリファレンス用受光部Ｓｒを選択する（ステップＰ１９０）。次いで、リファレンス用発光部Ｌｒを発光させ（ステップＰ２００）、選択されたリファレンス用受光部Ｓｒにより第２の受光結果Ｑ２を得る（ステップＰ２１０）。なお、第１の受光結果を取得する工程（ステップＰ１８０）と、第２の受光結果を取得する工程（ステップＰ２１０）との間には、所定時間の間隔を設ける。本実施形態では、所定時間の間隔として、５秒間の間隔を設ける。
【０１０１】
次いで、吸光スペクトル算出部３２４が、第１の受光結果Ｑ１及び第２の受光結果Ｑ２を用いて、当該血管部位６についての吸光スペクトルを生成する（ステップＰ２２０）。更に、測定対象の血管部位６が複数有る場合には、血管部位６毎の吸光スペクトルを平均した吸光スペクトルを算出する。
【０１０２】
その後、成分値算出部３２６が、吸光スペクトルに基づいて、血液中のグルコース濃度すなわち血糖値を算出する（ステップＰ２３０）。そして、算出した血糖値を表示部１２０に表示させるとともに、測定時刻と対応付けて蓄積記憶する（ステップＰ２４０）。所定の待機時間の経過を待機した後（ステップＰ２５０）、ステップＰ１２０に戻り、同様に次回の血糖値の測定を行う。
【０１０３】
Ａ５．上記以外の作用効果：
本実施形態の生体情報取得装置１０において、血管の位置に基づいて測定用発光部Ｌｄを選択することにより、血管に関連した生体情報を取得するのに適した発光部Ｌを測定用発光部Ｌｄとして選択できる。このため、本実施形態の生体情報取得装置１０によれば、血管に関連した生体情報を精度良く取得することができる。
【０１０４】
本実施形態の生体情報取得装置１０において、第１の受光結果における光源（測定用発光部Ｌｄ）と第２の受光結果における光源が異なる。このため、測定用発光部Ｌｄは、血管の上にあるものを選択でき、リファレンス用発光部Ｌｒは血管の上にないものを選択できる。この結果として、血管の上にある測定用発光部Ｌｄから発光された光を血管の上にある測定用受光部Ｓｄが受光することにより得られる第１の受光結果は、照射された光が血管を通る割合が多いため、血管や血管内血液に関する情報を多く含む。一方、血管の上にないリファレンス用発光部Ｌｒから発光された光を血管の上にないリファレンス用受光部Ｓｒが受光することにより得られる第２の受光結果は、照射された光が血管を通る割合が少ないため、血管や血管内の血液に関する情報が少なくなる。このような第１の受光結果と第２の受光結果とを用いて生体情報を取得するため、本実施形態の生体情報取得装置１０によれば、生体情報を精度よく取得できる。
【０１０５】
また、本実施形態の生体情報取得装置１０において、測定用発光部Ｌｄと測定用受光部Ｓｄとを結ぶ直線と、リファレンス用発光部Ｌｒとリファレンス用受光部Ｓｒとを結ぶ直線とは、略平行である。また、測定用発光部Ｌｄとリファレンス用発光部Ｌｒとの距離は、６ｍｍ以下である。このため、測定用発光部Ｌｄにより発せられた光が測定用受光部Ｓｄへ進む光路における生体の構造は、リファレンス用発光部Ｌｒにより発せられた光がリファレンス用受光部Ｓｒへ進む光路における生体の構造と比較して、血管部位６を通らないという点以外において近似する。よって、本実施形態の生体情報取得装置１０によれば、第１の受光結果と第２の受光結果とを用いて生体情報を取得するため、生体情報を精度よく取得できる。
【０１０６】
また、本実施形態の生体情報取得装置１０において、受発光領域の一部の領域として、一定の形状及びサイズを有する発光領域ＲＬを選択するとともに、選択された発光領域ＲＬ内の複数の発光素子５３を、測定用発光部Ｌｄ又はリファレンス用発光部Ｌｒとして発光させる。このように、本実施形態における発光部Ｌは、複数の発光素子５３から形成されている。このため、一つの発光部が一つの発光素子で形成されている場合と比較して、本実施形態の生体情報取得装置１０は、十分な発光強度を得ることができる。この結果として、本実施形態の生体情報取得装置１０によれば、生体情報を精度よく取得できる。
【０１０７】
同様に、本実施形態の生体情報取得装置１０において、受発光領域の一部の領域として、一定の形状及びサイズを有する受光領域Ｒ２を選択するとともに、選択された受光領域Ｒ２内の複数の受光素子５９を、測定用受光部Ｓｄ又はリファレンス用受光部Ｓｒとして受光させる。このように、本実施形態における受光部Ｓは、複数の受光素子５９から形成されている。このため、一つの受光部が一つの受光素子で形成されている場合と比較して、本実施形態の生体情報取得装置１０は、十分な受光量を得ることができる。この結果として、本実施形態の生体情報取得装置１０によれば、生体情報を精度よく取得できる。
【０１０８】
また、本実施形態の生体情報取得装置１０において、一つの発光部Ｌが、より小さな複数の発光素子５３の集合により形成されるので、発光部Ｌの位置を小さな発光素子５３のピッチの単位で選択することができる。このため、本実施形態の生体情報取得装置１０によれば、発光部Ｌを選択する自由度が向上する。
【０１０９】
同様に、本実施形態の生体情報取得装置１０において、一つの受光部Ｓが、より小さな複数の受光素子５９の集合により形成されるので、受光部Ｓの位置を小さな受光素子５９のピッチの単位で選択することができる。このため、本実施形態の生体情報取得装置１０によれば、受光部Ｓを選択する自由度が向上する。
【０１１０】
本実施形態の生体情報取得方法において、第１の受光結果を取得する工程（ステップＰ１８０（図１４参照））と、第２の受光結果を取得する工程（ステップＰ２１０）との間には、所定の時間が設けられている。このため、測定用発光部Ｌｄが発光した光をリファレンス用受光部Ｓｒが受光することや、リファレンス用発光部Ｌｒが発光した光を測定用受光部Ｓｄが受光することを抑制することができる。この結果として、本実施形態の生体情報取得方法によれば、生体情報を精度よく取得できる。
【０１１１】
Ｂ．第２実施形態：
第２実施形態は、第１実施形態と比較して、リファレンス用発光部Ｌｒとリファレンス用受光部Ｓｒとの選択方法が異なるが、それ以外は同じである。
【０１１２】
第２実施形態の生体情報取得装置１０Ａでは、生体画像を取得した際の放射輝度の高さが、受発光領域内全体において上位１０％以内である位置を、リファレンス用発光部Ｌｒ及びリファレンス用受光部Ｓｒとして選択する。なお、リファレンス用発光部Ｌｒとリファレンス用受光部Ｓｒとの距離は、第１実施形態と同じ所定距離Ｗとする。
【０１１３】
前述の通り、血管は非血管部よりも近赤外線を吸収し易いため、取得された生体画像において、血管の部分は非血管の部分よりも放射輝度が低くなる。また、人体には、いたるところに毛細血管が通っている。このため、生体画像を取得した際に放射輝度の高さがいずれも上位１０％以内である位置は、毛細血管を含む血管が存在しない可能性が高い。このような位置がリファレンス用発光部Ｌｒ及びリファレンス用受光部Ｓｒとして選択されることにより、リファレンス用発光部Ｌｒから照射された光からリファレンス用受光部Ｓｒで得られた第２の受光結果は、血管や血管内の血液に関する情報が少なくなる。この結果として、本実施形態の生体情報取得装置１０によれば、生体情報を精度よく取得できる。
【０１１４】
Ｃ．変形例：
この発明は前記実施例やその変形例に限られるものではなく、その要旨を逸脱しない範囲において種々の態様において実施することが可能であり、例えば次のような変形も可能である。
【０１１５】
Ｃ１．変形例１：
血管位置情報取得時及び血糖値情報取得時の光照射条件として、生体情報取得装置１０の省エネルギー化の観点から、以下のような特徴点のうちの１つ以上を有することが好ましい。
〈特徴点１〉血管位置情報を取得する際に同時に発光した発光素子５３一つあたりの電力密度は、血糖値情報を取得する際に同時に発光した発光素子５３一つあたりの電力密度よりも小さい。
〈特徴点２〉血管位置情報を取得する際に同時に発光した発光素子５３一つあたりの電流密度は、血糖値情報を取得する際に同時に発光した発光素子５３一つあたりの電流密度よりも小さい。
〈特徴点３〉血管位置情報を取得する際に同時に発光した発光素子５３が外接する最小円の内側の領域である第１の発光領域ＲＬ１における血管位置情報を取得する際の発光パワー（ｍＷ）は、血糖値情報を取得する際に同時に発光した発光素子５３が外接する最小円の内側の領域である第２の発光領域ＲＬ２における血糖値情報を取得する際の発光パワー（ｍＷ）よりも小さい。
〈特徴点４〉血管位置情報を取得する際に同時に発光した発光素子５３が外接する最小円の内側の領域である第１の発光領域ＲＬ１における血管位置情報を取得する際の発光素子５３の消費電力（ｍＷ）は、血糖値情報を取得する際に同時に発光した発光素子５３が外接する最小円の内側の領域である第２の発光領域ＲＬ２における血糖値情報を取得する際の発光素子５３の消費電力（ｍＷ）よりも小さい。
〈特徴点５〉血管位置情報を取得する際に同時に発光した発光素子５３が外接する最小円の内側の領域である第１の発光領域ＲＬ１における印加電流（ｍＡ）は、血糖値情報を取得する際に同時に発光した発光素子５３が外接する最小円の内側の領域である第２の発光領域ＲＬ２における印加電流（ｍＡ）よりも小さい。
〈特徴点６〉血管位置情報を取得する際に第１の発光領域ＲＬ１内の発光素子５３に流れる電流は、血糖値情報を取得する際に第２の発光領域ＲＬ２内の発光素子５３に流れる電流よりも小さい。
〈特徴点７〉血管位置情報を取得する際に同時に発光した発光素子５３の中で、血管位置情報を取得する際の単位面積あたりの発光パワーが最も大きい発光素子５３の単位面積あたりの発光パワーは、血糖値情報を取得する際に同時に発光した発光素子５３の中で、血糖値情報を取得する際の単位面積あたりの発光パワーが最も小さい発光素子５３の単位面積あたりの発光パワーよりも小さい。
〈特徴点８〉血管位置情報を取得する際に同時に発光した発光素子５３の中で、血管位置情報を取得する際の電力密度が最も大きい発光素子５３の電力密度は、血糖値情報を取得する際に発光した発光素子５３の中で、血糖値情報を取得する際の電力密度が最も小さい発光素子５３の電力密度よりも小さい。
〈特徴点９〉血管位置情報を取得する際に同時に発光した発光素子５３の中で、血管位置情報を取得する際の電流密度が最も大きい発光素子５３の電流密度は、血糖値情報を取得する際に発光した発光素子５３の中で、血糖値情報を取得する際の電流密度が最も小さい発光素子５３の電流密度よりも小さい。
【０１１６】
Ｃ２．変形例２：
前記実施形態では、生体情報として、血管位置情報及び血糖値情報を取得する。換言すると、第１の生体情報として、生体の血管位置を特定する情報である血管位置情報を取得し、第２の生体情報として、第１の生体情報とは異なる情報である生体の血液中の情報を取得する。しかし、本発明はこれに限られない。
【０１１７】
第１の生体情報としては、血管位置情報の代わりに、例えば、骨の位置情報を取得してもよい。骨の位置情報を取得することにより、生体情報取得装置１０に対する生体の位置を特定できる。また、第２の生体情報として、例えば、使用者である生体の血液中の酸素飽和度を取得してもよい。また、第２の生体情報として、血糖値情報及び血液中の酸素飽和度情報を取得してもよい。さらに、第２の生体情報として、生体の血液以外の情報を取得してもよい。生体の血液以外の情報としては、例えば、生体の骨密度を挙げることができる。なお、酸素飽和度とは、赤血球中のヘモグロビンのうち、酸素と結合しているヘモグロビンの割合のことである。血液中のヘモグロビンは、酸素との結合の有無により赤色光と赤外光の吸光度が異なる。そこで、例えば、赤色光を発光若しくは受光する素子や、赤外光を発光若しくは受光する素子などのような発光波長及び受光波長を異ならせた素子を複数組用いることにより、酸素飽和度を取得することができる。
【０１１８】
また、前記実施形態では、本発明を血糖値の取得装置に用いたが、本発明はこれに限らない。本発明を適用する機器としては、例えば、肌診断機、体脂肪測定器、体内蛍光物質観察機器、静脈認証機器、赤外スキャナー機器、皮膚癌診断機器、瞳観察装置、血管観察装置などの人体成分分析機器を挙げることができ、これらの機器の光源に本発明の発光部を適用することができる。
【０１１９】
Ｃ３．変形例３：
前記実施形態では、発光部Ｌの選択後、発光部Ｌから所定距離Ｗ離れた受光部Ｓを選択している。しかし、本発明はこれに限られない。受光部Ｓの選択後、受光部Ｓから所定距離Ｗ離れた発光部Ｌを選択してもよい。また、発光部Ｌと受光部Ｓの位置は、図７に示した例以外の種々の位置をとり得る。
【０１２０】
Ｃ４．変形例４：
前記実施形態では、第１の受光結果Ｑ１を取得する工程（ステップＰ１８０）の後、第２の受光結果Ｑ２を取得する工程（ステップＰ２１０）を行なう。しかし、本発明はこれに限られない。第２の受光結果Ｑ２を取得する工程の後、第１の受光結果Ｑ１を取得する工程を行なっても良い。
【０１２１】
Ｃ５．変形例５：
前記実施形態では、血管４の上にない一の位置をリファレンス用発光部Ｌｒとして選択し、リファレンス用発光部Ｌｒから所定距離Ｗだけ離れており、かつ、血管４の上にないリファレンス用受光部Ｓｒを選択する。しかし、本発明は、これに限られない。つまり、上記条件に加え、リファレンス用発光部Ｌｒとリファレンス用受光部Ｓｒとの間に血管の上である位置を含まないとの条件を加えても良い。このようにすることにより、リファレンス用受光部Ｓｒにて得られる第２の受光結果は、照射された光が血管を通る割合が少なくなるため、血管や血管内の血液に関する情報がより少なくなる。この結果として、生体情報を精度よく取得できる。
【０１２２】
Ｃ６．変形例６：
前記実施形態では、発光部Ｌ及び受光部Ｓの選択（例えば、ステップＰ１６０）の後、発光部Ｌの発光を行う（例えば、ステップＰ１７０）。しかし、本発明はこれに限られない。発光部Ｌの発光後に、受光部Ｓの選択を行っても良い。
【０１２３】
Ｃ７．変形例７：
前記実施形態では、第１の発光領域ＲＬ１内の発光素子５３は、血管位置情報取得時に全てが発光し、第２の発光領域ＲＬ２内の発光素子５３は、血糖値情報取得時に全てが発光しているが、本発明はこれに限られない。つまり、第１の発光領域ＲＬ１内の発光素子５３の中で、血管位置情報取得時に少なくとも一つの発光素子５３が発光すればよく、第２の発光領域ＲＬ２内の発光素子５３の中で、血糖値情報取得時に少なくとも一つの発光素子５３が発光すればよい。
【０１２４】
なお、前述した各実施例および各変形例における構成要素の中の、独立請求項で記載された要素以外の要素は、付加的な要素であり、適宜省略可能である。
【符号の説明】
【０１２５】
２…使用者、４…対象血管、５ａ…分岐・合流部分、５ｂ…端部、５ｂ…画像端部、６…血管部位、８…非血管領域、１０，１０Ａ…生体情報取得装置、１２…本体ケース、１４…固定バンド、１６…タッチパネル、１８…操作スイッチ、２０…通信装置、２２…メモリーカード、２４…リーダーライター、２６…電池、３０…制御基板、５０…センサーモジュール、５２…発光層、５３…発光素子、５４…遮光層、５６…分光層、５８…受光層、５９…受光素子、１１０…操作入力部、１２０…表示部、１３０…音出力部、１４０…通信部、２１０…照射部、２２０…撮像部、３００…制御部、３１０…血糖値測定部、３１４…生体画像取得部、３１６…血管パターン取得部、３１８…血管部位選択部、３２０…測定用受発光部選択部、３２２…リファレンス用受発光部選択部、３２４…吸光スペクトル算出部、３２６…成分値算出部、３４２…照射制御部、３４４…撮像制御部、４００…記憶部、４０２…システムプログラム、４０４…血糖値測定プログラム、４０６…発光素子リスト、４０８…受光素子リスト、４１０…最適距離データ、４１４…生体画像データ、４１６…血管パターンデータ、４１８…血管部位データ、４１８ａ…血管部位ＩＤ、４１８ｂ…部位ピクセルリスト、４１８ｃ…中心線位置情報、４１８ｄ…部位長、４１８ｅ…測定用発光部データ、４１８ｆ…測定用受光部データ、４１８ｇ…リファレンス用発光部データ、４１８ｈ…リファレンス用受光部データ、４２０…吸光スペクトルデータ、４２２…測定血糖値データ、Ｊ…距離、Ｌ…発光部、Ｌ１，Ｌ２…直線、Ｌｄ…測定用発光部、Ｌｒ…リファレンス用発光部、Ｏ，Ｏｒ，Ｏｓ…光強度、Ｐ４…血管パターン、Ｑ１…第１の受光結果、Ｑ２…第２の受光結果、Ｒ２…受光領域、ＲＬ…発光領域、ＲＬ１…第１の発光領域、ＲＬ２…第２の発光領域、Ｓ…受光部、Ｓｄ…測定用受光部、Ｓｒ…リファレンス用受光部、Ｔ…透過率、Ｗ…間隔
【図１】
0006658307.tif 000002
【図２】
0006658307.tif 000003
【図３】
0006658307.tif 000004
【図４】
0006658307.tif 000005
【図５】
0006658307.tif 000006
【図６】
0006658307.tif 000007
【図７】
0006658307.tif 000008
【図８】
0006658307.tif 000009
【図９】
0006658307.tif 000010
【図１０】
0006658307.tif 000011
【図１１】
0006658307.tif 000012
【図１２】
0006658307.tif 000013
【図１３】
0006658307.tif 000014
【図１４】
0006658307.tif 000015